(57)【要約】  本発明の課題は、臭い、特に中高年に特有の体臭である加齢臭を消臭ための、安全で消臭効果の高い消臭剤を提供することである。  多価アルコール、特に１，３−ブチレングリコールを有効成分とすることにより、優れた効果を有する消臭剤が提供される。特に、加齢臭の主な発生要因である不飽和アルデヒドの消臭に有効である。【特許請求の範囲】
【請求項１】
２価又は３価のＣ２〜Ｃ６アルコールを有効成分として含有する、消臭剤。
【請求項２】
前記アルコールが１，３−ブチレングリコールである、請求項１記載の消臭剤。
【請求項３】
加齢臭の消臭用である、請求項１又は２記載の消臭剤。
【請求項４】
臭い成分が不飽和アルデヒドである、請求項１〜３のいずれかに記載の消臭剤。
【請求項５】
不飽和アルデヒドがノネナール又はオクテナールである、請求項４に記載の消臭剤。
【請求項６】
請求項１〜５のいずれかに記載の消臭剤を配合してなる、消臭用組成物。
【請求項７】
皮膚外用剤である、請求項６に記載の消臭用組成物。
【請求項８】
１，３−ブチレングリコール、ウーロン茶抽出物及び甜茶抽出物を配合してなる、組成物。
【発明の詳細な説明】
【技術分野】
【０００１】
本発明は、消臭剤に関する。さらに詳しくは、本発明は、多価アルコール、特に１，３−ブチレングリコールを有効成分として含有する消臭剤であって、加齢臭の原因物質である不飽和アルデヒドに対する優れた消臭効果を有する加齢臭抑制剤を提供するものである。また、本発明は、１，３−ブチレングリコール、ウーロン茶抽出物及び甜茶抽出物を配合してなる組成物に関する。
【背景技術】
【０００２】
近年、より快適な生活空間を求める消責者の価値観やニーズの高まりを受けて、種々の消臭剤、脱臭剤又は芳香剤が開発されている。また、体臭への消責者の関心も高くなっており、デオドラント効果を有する製品に対する要望は近年高まっている。【０００３】
体臭の中でも、主に中高年者で意識される臭いであるいわゆる「加齢臭」は、オクテナールやノネナール等の不飽和アルデヒドが深く関わっていることが知られている。詳細には、中高年齢層の皮脂中に増加する９−ヘキサデセン酸（パルミトレイン酸）が、過酸化脂質によって酸化・分解されることにより、又は皮膚常在菌によって分解されることにより、悪臭物質であるノネナールを発生させることが知られている（特許文献１）。【０００４】
加齢臭を除去する技術としては、発生した不飽和アルデヒドを香料によりマスキング・ハーモナージュする方法（特許文献１）、エタノールアミンで捕捉する方法（特許文献２）が報告されている。また、加齢臭発生の原因となる皮脂における不飽和アルデヒドの発生を抑え、加齢臭を抑制する方法が報告されている。具体的には、抗酸化剤による酸化抑制（特許文献３）、リポキシゲナーゼ阻害剤による過酸化脂質の生成抑制（特許文献４）、脂肪酸の生成に関与する皮膚常在菌の抗菌剤による増殖抑制（特許文献５）により、不飽和アルデヒドの発生を抑える方法が報告されている。【０００５】
一方、化粧料において、多価アルコールが配合されているものが多く、グリセリン、プロピレングリコール、ジプロピレングリコール、１，３−ブチレングリコールが供給安定性の観点からよく用いられている。これらの中でも、１，３−ブチレングリコールは、非揮発性、低毒性、保湿性の性質を有するため、化粧品用途に有用であることが知られている。具体的には、保湿作用（特許文献６）、抗菌作用・防腐作用（特許文献７）を有することが報告されている。
【先行技術文献】
【特許文献】
【０００６】
【特許文献１】特開平１１−２８６４２８号公報
【特許文献２】特開２００１−９７８３８号公報
【特許文献３】特開平１１−２８６４２３号公報
【特許文献４】特開平１１−２８６４２４号公報
【特許文献５】特開平１１−２８６４２５号公報
【特許文献６】特開平８−２５９４３３号公報（特許３１５９６２２号）
【特許文献７】特開２００３−２３８３２８号公報
【発明の概要】
【発明が解決しようとする課題】
【０００７】
本発明は、消臭効果が高く、かつ安全性の高い消臭剤又は組成物を提供することを目的とする。
【課題を解決するための手段】
【０００８】
本発明者等は、鋭意研究を重ねた結果、多価アルコール、特に１，３−ブチレングリコールが消臭効果を有することを見出した。特に、それらが加齢臭の原因物質である不飽和アルデヒドに対して著しい消臭効果を有することを見出し、本発明を完成するに至った。【０００９】
すなわち本発明は、これに限定される訳ではないが、以下に関する。
（１）２価又は３価のＣ２〜Ｃ６アルコールを有効成分として含有する、消臭剤。
（２）前記アルコールが、１，３−ブチレングリコールである、（１）記載の消臭剤。
（３）加齢臭の消臭用である、（１）又は（２）記載の消臭剤。
（４）臭い成分が不飽和アルデヒドである、（１）〜（３）のいずれかに記載の消臭剤。
（５）不飽和アルデヒドがノネナール又はオクテナールである、（４）記載の消臭剤。
（６）（１）〜（５）のいずれかに記載の消臭剤を配合してなる、消臭用組成物。
（７）皮膚外用剤である、（６）記載の消臭用組成物。
（８）１，３−ブチレングリコール、ウーロン茶抽出物及び甜茶抽出物を配合してなる、組成物。
【発明の効果】
【００１０】
本発明は、多価アルコール、特に１，３−ブチレングリコールを有効成分として含む、優れた消臭効果を有する消臭剤を提供するものである。本発明の消臭剤は、特に加齢臭の原因物質に対して抑制効果を有することから、消臭抑制を目的とした消臭用組成物に配合することができる。中でも加齢臭抑制を目的とした消臭用組成物に配合することができる。また、本発明の別の態様において、１，３−ブチレングリコール、ウーロン茶抽出物及び甜茶抽出物を配合することで、優れた消臭効果を有する組成物を提供することができる。
【発明を実施するための形態】
【００１１】
＜消臭剤＞
本発明の消臭剤は、多価アルコール、具体的には２価又は３価のＣ２〜Ｃ６アルコールを有効成分として含むことを特徴とする。
【００１２】
本発明の消臭剤は、種々の臭い成分に対する消臭を目的とし、中でも加齢に伴う体臭である加齢臭の消臭を目的とし、特に、加齢臭の原因物質である不飽和アルデヒド（ノネナール、オクテナールなど）に対する消臭剤として提供される。
【００１３】
以下、本発明の実施形態を詳細に説明する。
【００１４】
消臭剤の有効成分
本発明の消臭剤の有効成分は、多価アルコール、具体的には２価又は３価のＣ２〜Ｃ６アルコールである。２価又は３価のＣ２〜Ｃ６アルコールとしては、例えばグリセリン、エチレングリコール、プロピレングリコール、１，４−ブタンジオール、ジエチレングリコール、ジプロピレングリコール、１，３−ブチレングリコール、ペンチレングリコール、ヘキシレングリコール等が挙げられる。これらの中でも、２価のＣ２〜Ｃ６アルコールが好ましく、特に１，３−ブチレングリコールが好ましい。
【００１５】
消臭剤中の上記有効成分の量は特に限定されず、有効成分１００重量％であってもよいが、０．０１〜９９重量％、好ましくは１〜５０重量％、さらに好ましくは５〜３０重量％である。
【００１６】
消臭効果
本発明の消臭剤は、様々な臭いに対して効果を有する。例えば、体臭（腋臭、足臭、汗臭、頭皮の臭い、口臭など）、ペットの臭い、トイレの臭い、台所の臭い、冷蔵庫の臭い、魚や野菜など食品の臭い、タバコの臭い、衣服の臭い、靴の臭いなどが挙げられる。
【００１７】
したがって、本発明の消臭剤は、例えば、口臭用消臭剤、体臭用消臭剤、ペット用消臭剤、家畜用消臭剤、キッチン用消臭剤、トイレ用消臭剤、室内用消臭剤、生活用消臭剤、車内用消臭剤、工業用消臭剤などとして使用することができる。
【００１８】
また本発明の消臭剤は、特に体臭の中でも加齢臭に対して効果を有する。加齢臭としては、加齢臭に含まれる臭いであれば特に限定されないが、特にノネナール及びオクテナールなどの不飽和アルデヒドに対して効果を有する。
【００１９】
本発明の消臭剤は、担体に保持させて使用することもできる。担体の例としては、寒天、ゼラチン、カラギーナン、アラビアガム等のガム類、ポリビニルアルコール、ポリアクリルアミドなどのゲル、各種セルロースなどの繊維、ゼオライト、多孔質ガラス、セラミックス、活性炭、シリカ、シリケートなどの多孔性材料などを挙げることができる。
【００２０】
＜消臭用組成物＞
本発明の消臭用組成物は、上記消臭剤を配合して調製することができる。
【００２１】
消臭用組成物中の消臭剤の配合量は特に限定されず、上記有効成分１００重量％であってもよいが、０．０１〜９９重量％、好ましくは１〜５０重量％、さらに好ましくは５〜３０重量％である。
【００２２】
本発明の消臭剤を単独で配合することもでき、また他の消臭成分と組み合わせて配合することもできる。併用することのできる消臭成分には特に制限はなく、例えば、公知のマスキング剤、吸着剤や多孔質材料などが挙げられる。また、加齢臭抑制効果をさらに高めるために、公知の加齢臭に対する消臭剤、例えば、抗酸化剤、リポキシゲナーゼ阻害剤、抗菌剤、マスキング・ハーモナージュ香料、エタノールアミンなどを併用することができる。また、ウーロン茶、甜茶、緑茶、柿果実、オウゴン、メマツヨイグサ、さとうきびといった植物成分の抽出物又は粉砕物を添加することができる。中でも、加齢臭へ消臭効果に優れるウーロン茶又は甜茶の、抽出物又は粉砕物を好適に用いることができる。
【００２３】
消臭用組成物の態様としては、皮膚外用剤として使用することが好ましい。例えば、洗顔料、石鹸、口腔内ケア製品（洗口液（マウスウォッシュ）、歯磨き粉など）、シャンプー、リンス、コンディショナー、ヘアクリーム、整髪料、ヘアトニック、育毛・養毛料、化粧水、乳液、クリーム、などが挙げられる。
【００２４】
また、本発明の消臭用組成物には、本発明の効果を損なわない範囲内で、他の成分や添加剤を配合することができる。これらの成分や添加剤としては、植物油等の油脂類、ラノリンやミツロウ等のロウ類、炭化水素類、脂肪酸、高級アルコール類、エステル類、種々の界面活性剤、保湿剤、美白剤、色素、着色剤、顔料、甘味料、栄養強化剤、香料、ビタミン類、アミノ酸、植物・動物抽出成分、紫外線吸収剤、抗酸化剤、防腐・殺菌剤などが挙げられる。
【００２５】
＜組成物＞
本発明の一態様における組成物は、１，３−ブチレングリコール、ウーロン茶抽出物及び甜茶抽出物を含有する。また、本発明の組成物には、緑茶抽出物及び／又は柿果実抽出物をさらに配合してもよく、他の成分を配合してもよい。特に、組成物を消臭用組成物として使用することが好ましい。
【００２６】
ウーロン茶抽出物、甜茶抽出物、緑茶抽出物及び柿果実抽出物の調製は、当業者に公知のいずれの方法によっても行うことができる。尚、これらの抽出物は、固体であっても液体であってもよく、葉や果実の粉砕品をも包含する。また、ウーロン茶、甜茶、緑茶及び柿果実由来の有効成分が含まれる態様である限り、抽出工程は必須ではない。
【００２７】
本発明の組成物中の１，３−ブチレングリコールの含有量は特に限定されず、０．０１〜９９重量％、好ましくは１〜７０重量％、さらに好ましくは５〜６０重量％である。また、組成物中のウーロン茶抽出物及び甜茶抽出物の合計配合量、あるいは、組成物中にさらに緑茶抽出物及び／又は柿果実抽出物を加えた全抽出物の合計配合量も特に限定されないが、乾燥重量換算で、０．０００１〜９０重量％、好ましくは０．００５〜５０重量％、さらに好ましくは０．００１〜１０重量％となるように配合する。
【００２８】
各抽出物の配合量も特に限定されないが、例えば、ウーロン茶抽出物及び甜茶抽出物の２種、あるいは、これらに緑茶抽出物及び／又は柿果実抽出物を加えた３種又は４種の抽出物を使用する際に、各組み合わせにおける抽出物の配合比は特に限定されるものではないが、一番少ない量の抽出物の乾燥重量を基準にして、その他の抽出物の乾燥重量が１〜１０倍量、好ましくは１〜５倍量、さらに好ましくは１〜２倍量となるようにそれぞれ配合することができる。
【００２９】
本発明の組成物に配合されるウーロン茶抽出物及び甜茶抽出物に含まれる成分、又はさらに配合されうる緑茶抽出物及び／又は柿果実抽出物に含まれる成分は特に限定されないが、これらの抽出物の主成分としては、ポリフェノールが挙げられる。ポリフェノールとは、１分子内に複数のフェノール性水酸基を持つ化合物の総称であり、特に限定するものではないが、ウーロン茶、甜茶、緑茶等の茶葉、柿果実等より抽出されたタンニン、フラボノイド、カテキン類等である。
【００３０】
本発明の一態様における組成物としては、皮膚外用剤として使用することが好ましい。例えば、洗顔料、石鹸、口腔内ケア製品（洗口液（マウスウォッシュ）、歯磨き粉など）、シャンプー、リンス、コンディショナー、ヘアクリーム、整髪料、ヘアトニック、育毛・養毛料、化粧水、乳液、クリーム、などが挙げられる。
【００３１】
また、本発明の一態様である組成物には、本発明の効果を損なわない範囲内で、他の成分や添加剤を配合することができる。これらの成分や添加剤としては、オウゴン、メマツヨイグサ、さとうきびなどの植物原料から得られる抽出物又は粉砕物、ラノリンやミツロウ等のロウ類、炭化水素類、脂肪酸、高級アルコール類、エステル類、種々の界面活性剤、保湿剤、美白剤、色素、着色剤、顔料、甘味料、栄養強化剤、香料、ビタミン類、アミノ酸、植物・動物抽出成分、紫外線吸収剤、抗酸化剤、防腐・殺菌剤などが挙げられる。また、併用することのできる消臭成分には特に制限はなく、例えば、公知のマスキング剤、吸着剤や多孔質材料などが挙げられる。また、公知の加齢臭に対する消臭剤、例えば、抗酸化剤、リポキシゲナーゼ阻害剤、抗菌剤、マスキング・ハーモナージュ香料、エタノールアミンなどを併用することができる。
【実施例】
【００３２】
以下、本発明を実施例に基づき詳細に説明するが、本発明はこれらに限定されるものではない。【００３３】
［実施例１］不飽和アルデヒドに対する消臭効果試験１（官能評価）：
各バイアル瓶に１％１，３−ブチレングリコール水溶液を２０ｍＬ入れた。そこへ、０．５％ノネナール（ｔｒａｎｓ−２−ノネナール（一級、和光純薬工業株式会社）を、オリーブスクワラン（NIKKOL精製オリーブスクワラン、日光ケミカルズ（株）製）で希釈したもの）を０．５ｍＬ添加し、素早くゴム栓を閉めた。４０℃の条件下で１０分間静置させた後、官能評価を行った。【００３４】
［結果］
下記表１に示すように、１，３−ブチレングリコールは、無添加と比較してノネナール臭に対する消臭効果が優れていることが明らかになった。【００３５】
【表１】
2012108494.tif 000002
【００３６】
［実施例２］不飽和アルデヒドに対する消臭効果試験２：
２４％１，３−ブチレングリコール水溶液を用いて、不飽和アルデヒドに対する消臭効果試験を下記の方法により行った。また、不飽和アルデヒドとしてノネナールを使用し、その減少率を高速液体クロマトグラフ法にて分析評価した。【００３７】
＜試験方法＞
・試薬及び器具
におい袋（２５ｃｍ×４０ｃｍ）［有限会社ミヤコビニル加工所］
ノネナールガス：ｔｒａｎｓ−２−ノネナール（一級）［和光純薬工業株式会社］から発生させたガスを用いた。
ＤＮＰＨカートリッジ：ＧＬ−Ｐａｋ  ｍｉｎｉ  ＡＥＲＯ  ＤＮＰＨ［ジーエルサイエンス株式会社］
・評価サンプル
評価サンプルとして、２４％１，３−ブチレングリコール水溶液、対照（水）を使用した。
・操作
評価サンプル及び対照（水）をそれぞれにおい袋に入れ、ヒートシールを施した後、空気４Ｌ封入し、設定したガス濃度となるようにノネナールガスを添加した。これを静置し、経過時間ごと（０、３０、６０、１８０分後）に袋内のガスをＤＮＰＨカートリッジに３００ｍＬ捕集した。ガスを捕集したＤＮＰＨカートリッジにアセトニトリル５ｍＬを通してＤＮＰＨ誘導体を溶出させ、この溶出液を高速液体クロマトグラフ法により測定し、袋内のガス濃度を算出した。高速液体クロマトグラフの操作条件は以下に示した。
・高速液体クロマトグラフ操作条件
機  種：ＬＣ−２０１０ＡＨＴ［株式会社島津製作所］
検出器：紫外線吸光光度検出器
カラム：ＲＰ−Ａｍｉｄｅ，φ４．６ｍｍ×２５ｃｍ［シグマアルドリッチジャパン株式会社］
カラム温度：４０℃
移動相：アセトニトリル及び水の混合液（アセトニトリル：水＝８０：２０）
移動相流量：１．５ｍＬ／ｍｉｎ
測定波長：３６０ｎｍ
注入量：４０μＬ
・試験条件
検体使用量：評価サンプル（２４％１，３−ブチレングリコール水溶液）５ｍＬ、対照（水）５ｍＬ
試験対象ガス：ノネナール（初期ガス濃度：２２ｐｐｍ）
温度条件：室温【００３８】
＜結果＞
下記表２に示すように、２４％１，３−ブチレングリコール水溶液は、対照と比較して不飽和アルデヒドの減少率が大きく、優れた消臭効果を有することが明らかになった。【００３９】
【表２】
2012108494.tif 000003
【００４０】
［実施例３］不飽和アルデヒドに対する消臭効果試験３：
１００％１，３−ブチレングリコールを用いて、不飽和アルデヒドに対する消臭効果試験を下記の方法により行った。また、不飽和アルデヒドとしてノネナールを使用し、その減少率を高速液体クロマトグラフ法にて実施例２と同様の条件で分析することにより評価した。【００４１】
＜試験方法＞
評価サンプルとして、１００％１，３−ブチレングリコール（５ｍＬ）および対照として水（５ｍＬ）を使用したこと、試験対象ガスであるノネナールの初期ガス濃度が１８ｐｐｍであったこと以外は、実施例２と同様の方法で消臭評価試験を行った。【００４２】
＜結果＞
下記表３に示すように、１００％１，３−ブチレングリコールは、実施例２の２４％１，３−ブチレングリコール水溶液と比較して不飽和アルデヒドの減少率がさらに大きく、顕著な消臭効果を有していた。【００４３】
【表３】
2012108494.tif 000004
【００４４】
［実施例４］不飽和アルデヒドに対する消臭効果試験４：
＜試験方法＞
・評価サンプル
ウーロン茶抽出液として、ウーロン茶抽出物を主成分とする市販の化粧品原料（ウーロン茶抽出液BG（丸善製薬（株）製）：５０％１，３−ブチレングリコール溶液）を用いた。また、甜茶抽出液として、甜茶抽出物を主成分とする市販の化粧品原料（甜茶抽出液BGW（丸善製薬（株）製）：５０％１，３−ブチレングリコール溶液）を用いた。さらに、緑茶抽出液として、緑茶抽出物を主成分とする市販の化粧品原料（和ism緑茶（丸善製薬（株）製：５０％１，３−ブチレングリコール溶液）を用い、柿果実抽出液として、柿果実抽出物を主成分とする市販の化粧品原料（パンシルBA-210-1、リリース科学工業（株）製）を用いた。【００４５】
上記ウーロン茶抽出液（２．５ｍＬ）、甜茶抽出液（２．５ｍＬ）をエキス分（ポリフェノールを主成分として含む）が１重量％となるように、且つ、それぞれのエキス分の量が等量となるように配合し、１，３−ブチレングリコール＋２種混合抽出物の評価サンプル（５ｍＬ）を調製した。１，３−ブチレングリコールの含量は、（５０重量％）であった。同様に、上記ウーロン茶抽出液、甜茶抽出液及び緑茶抽出液をエキス分が１重量％となるように、且つ、それぞれのエキス分の量が等量となるように配合し、１，３−ブチレングリコール＋３種混合抽出物（１）の評価サンプルを調製した。さらに、上記ウーロン茶抽出液、甜茶抽出液及び柿果実抽出液をエキス分が１重量％となるように、且つ、それぞれのエキス分の量が等量となるように配合し、１，３−ブチレングリコール＋３種抽出物（２）の評価サンプルを調製した。さらに、上記ウーロン茶抽出液、甜茶抽出液、緑茶抽出液及び柿果実抽出液をエキス分が１重量％となるように、且つ、それぞれのエキス分の量が等量となるように配合し、１，３−ブチレングリコール＋４種混合抽出物の評価サンプルを調製した。【００４６】
・操作
評価サンプルとして上記１，３−ブチレングリコール含有混合抽出物及び対照として水（５ｍＬ）を使用したこと以外は、上記実施例２と同様の方法で、１，３−ブチレングリコール＋２種混合抽出物および１，３−ブチレングリコール＋４種混合抽出物と、１，３−ブチレングリコール＋３種混合抽出物（１）および１，３−ブチレングリコール＋３種混合抽出物（２）の評価サンプルについて、不飽和アルデヒドに対する消臭効果試験を別々に行った。また、不飽和アルデヒドとしてノネナールを使用し、その減少率を高速液体クロマトグラフ法にて実施例２と同様の条件で分析することにより評価した。尚、試験対象ガスであるノネナールの初期ガス濃度は、それぞれ２０ｐｐｍ（上記２種・４種のサンプル評価時）、２０ｐｐｍ（上記３種のサンプル評価時）であった。【００４７】
＜結果＞
下記表に示すように、上記１，３−ブチレングリコール＋２種混合抽出物、３種混合抽出物（１）及び（２）、４種混合抽出物のいずれもが、対照と比較して、不飽和アルデヒドの減少率が大きく、消臭効果に優れていることが明らかになった。【００４８】
【表４】
2012108494.tif 000005
【００４９】
［製造例１］石鹸
以下、１，３−ブチレングリコールを配合した消臭用組成物の製造例を示す。【００５０】
原料の配合量を表５に示す。石鹸素地を混合攪拌し、その後１，３−ブチレングリコールと各抽出物を投入し、均一に混合後、成型した。【００５１】
【表５】
2012108494.tif 000006
【００５２】
［製造例２］シャンプー
原料の配合量を表６に示す。【００５３】
精製水に１，３−ブチレングリコールに溶解した防腐剤を投入した。均一に攪拌後、ラウレス硫酸ナトリウム、ヤシ油脂肪酸モノエタノールアミドを投入し、その後色素、香料及び残りの１，３−ブチレングリコールを投入後、均一に混合攪拌した。【００５４】
【表６】
2012108494.tif 000007
【００５５】
［製造例３］コンディショナー
原料の配合量を表７に示す。
（１）塩化ステアリルジメチルベンジルアンモニウム及び食塩を精製水に投入し、80℃まで加温し溶解した。
（２）セトステアリルアルコール及びグリセリンモノステアレートを80℃まで加温し溶解した。
（３）（１）をホモミキサーで攪拌しながら（２）を添加し、添加後5分間予備攪拌を行い、
（４）予備攪拌終了後、50℃まで攪拌しながら冷却し、１，３−ブチレングリコールを添加しさらに35℃まで攪拌冷却し調製した。【００５６】
【表７】
2012108494.tif 000008
【００５７】
［製造例４］ヘアトニック
原料の配合量を表８に示す。【００５８】
精製水にサリチル酸、エタノールに溶解したビタミンE、L-メントールを投入し、さらに精製水の一部に溶解したグリチルリチンを投入し、その後１，３−ブチレングリコールを投入し、均一に混合し調製した。【００５９】
【表８】
2012108494.tif 000009
【００６０】
［製造例５］ミスト
原料の配合量を表９に示す。【００６１】
精製水にクエン酸及びクエン酸Naを投入し溶解した。その後エタノールに溶解した防腐剤及びポリソルベート80を投入した。その後１，３−ブチレングリコールを投入し均一に攪拌し調製した。【００６２】
【表９】
2012108494.tif 000010
【００６３】
［製造例６］化粧水
原料の配合量を表１０に示す。【００６４】
精製水にクエン酸及びクエン酸ナトリウムを投入し溶解した。次にグリセリン、１，３−ブチレングリコール及びエチレンジアミン四酢酸三ナトリウムを順次投入し、さらにエタノールに溶解したポリオキシエチレン（１８）オレイルアルコールエーテル、ビタミンEを投入し均一になるまで攪拌し調製した。【００６５】
【表１０】
2012108494.tif 000011
【００６６】
［製造例７］乳液
原料の配合量を表１１に示す。
（１）ステアリン酸、セチルアルコール、ミリスチン酸オクチルドデシル及び流動パラフィンを80℃まで加温し溶解した。
（２）トリエタノールアミン、ヒアルロン酸ナトリウム、グリセリン、１，３−ブチレングリコール及びエチレンジアミンヒドロキシ三酢酸ナトリウムを精製水に投入し80℃まで加温した。
（３）（１）をホモミキサーで攪拌しながら（２）を投入し、投入後5分間予備攪拌した。
（４）予備攪拌終了後、50℃まで冷却し、さらに35℃まで冷却し調製した。【００６７】
【表１１】
2012108494.tif 000012
【００６８】
［製造例８］クリーム
原料の配合量を表１２に示す。
（１）ステアリン酸、モノステアリン酸グリセリル、セスキステアリン酸ソルビタン、モノステアリン酸ポリオキシエチレンソルビタン、セトステアリルアルコール、流動パラフィン、ヘキサ（ヒドロキシステアリン酸/ステアリン酸/ロジン酸）ジペンタエリスリチル、トリ２−エチルヘキサン酸グリセリル及びジメチコンを80℃まで加温し溶解した。
（２）精製水にグリセリン、１，３−ブチレングリコール、水酸化ナトリウム及びメチルパラベンを投入し、80℃まで加温し溶解した。
（３）（１）をホモミキサーで攪拌しながら（２）を投入し、投入後5分間予備攪拌した。
（４）予備攪拌終了後、50℃まで冷却し、さらに35℃まで冷却し調製した。【００６９】
【表１２】
2012108494.tif 000013
【国際調査報告】
2012108494.tif 000014
2012108494.tif 000015